(57)【要約】【課題】ユーザデータを効率よく管理することが可能な通信システムを提供すること。【解決手段】通信システムは、サーバーと端末機器により構成され、前記端末機器は、ユーザデータを第１の記憶先（１）へ記憶させる第１の記憶制御手段（２０１）と、前記サーバーと接続し、前記第１の記憶先に記憶されるユーザデータを前記サーバーへ送信する第１の通信手段（２０２）と、前記第１の記憶先に記憶された複数のユーザデータのうち、各ユーザデータの管理情報に基づき所定のユーザデータを削除する削除手段（２０１）とを備え、前記サーバーは、前記端末機器と接続し、前記端末機器から送信されるユーザデータを受信する第２の通信手段（５０２）と、前記第２の通信手段により受信されたユーザデータを第２の記憶先（５０３）へ記憶させる第２の記憶制御手段（５０１）とを備えている。【選択図】      図１
2006101216.tif 000002
【特許請求の範囲】
【請求項１】
相互に通信可能なサーバーと端末機器により構成される通信システムであって、
前記端末機器は、
ユーザデータを第１の記憶先へ記憶させる第１の記憶制御手段と、
前記サーバーと接続し、前記第１の記憶先に記憶されるユーザデータを前記サーバーへ送信する第１の通信手段と、
前記第１の記憶先に記憶された複数のユーザデータのうち、各ユーザデータの管理情報に基づき所定のユーザデータを削除する削除手段と、
を備え、
前記サーバーは、
前記端末機器と接続し、前記端末機器から送信されるユーザデータを受信する第２の通信手段と、
前記第２の通信手段により受信されたユーザデータを第２の記憶先へ記憶させる第２の記憶制御手段と、
を備えたことを特徴とする通信システム。
【請求項２】
相互に通信可能なサーバーと端末機器により構成される通信システムであって、
前記端末機器は、
ユーザデータとこのユーザデータの更新履歴及びこのユーザデータに対するアクセス頻度を示す管理情報とを第１の記憶先へ記憶させる第１の記憶制御手段と、
前記サーバーと接続し、前記第１の記憶先に記憶されるユーザデータ及び管理情報を前記サーバーへ送信する第１の通信手段と、
前記第１の記憶先に記憶された複数のユーザデータのうち、各ユーザデータの管理情報に基づき所定のユーザデータを削除する削除手段と、
を備え、
前記サーバーは、
前記端末機器と接続し、前記端末機器から送信されるユーザデータ及び管理情報を受信する第２の通信手段と、
前記第２の通信手段により受信されたユーザデータ及び管理情報を第２の記憶先へ記憶させる第２の記憶制御手段と、
を備えたことを特徴とする通信システム。
【請求項３】
前記端末機器側から指定されたユーザデータを前記第１及び第２の記憶先の中から検索する検索手段を備えたことを特徴とする請求項１又は２に記載の通信システム。
【請求項４】
前記サーバー側の前記第２の記憶先に記憶されたユーザデータへのアクセス及びこのユーザデータの更新に基づき前記管理情報を更新し、更新された管理情報に基づき前記第２の記憶先に記憶された複数のユーザデータの中から前記第１の記憶先に記憶させるユーザデータを選出し、選出されたユーザデータを前記第１の記憶先に記憶させるとともに前記第１の記憶先から非選出のユーザデータを削除するデータ更新処理手段を備えたことを特徴とする請求項１又は２に記載の通信システム。
【請求項５】
サーバーと通信可能な端末機器であって、
ユーザデータを所定の記憶先へ記憶させる記憶制御手段と、
前記サーバーと接続し、前記記憶先に記憶されるユーザデータを前記サーバーへ送信する通信手段と、
前記記憶先に記憶された複数のユーザデータのうち、各ユーザデータの管理情報に基づき所定のユーザデータを削除する削除手段と、
を備えたことを特徴とする端末機器。
【請求項６】
サーバーと通信可能な端末機器であって、
ユーザデータとこのユーザデータの更新履歴及びこのユーザデータに対するアクセス頻度を示す管理情報とを所定の記憶先へ記憶させる記憶制御手段と、
前記サーバーと接続し、前記記憶先に記憶されるユーザデータ及び管理情報を前記サーバーへ送信する通信手段と、
前記記憶先に記憶された複数のユーザデータのうち、各ユーザデータの管理情報に基づき所定のユーザデータを削除する削除手段と、
を備えたことを特徴とする端末機器。
【請求項７】
指定されたユーザデータを前記記憶先及び前記サーバーの中から検索する検索手段を備えたことを特徴とする請求項５又は７に記載の端末機器。
【請求項８】
前記サーバー側に記憶されたユーザデータへのアクセス及びこのユーザデータの更新に基づき前記管理情報が更新され、更新された管理情報に基づき前記サーバー側に記憶された複数のユーザデータの中から前記記憶先に記憶させるユーザデータが選出され、選出されたユーザデータを前記記憶先に記憶させるとともに前記記憶先から非選出のユーザデータを削除するデータ更新処理手段を備えたことを特徴とする請求項６又は７に記載の端末機器。
【請求項９】
サーバーと通信可能な端末機器に適用される情報記憶媒体であって、
前記サーバーに記憶される複数のユーザデータのうち、各ユーザデータの管理情報に基づき選出された所定のユーザデータを記憶する記憶エリアを備えたことを特徴とする情報記憶媒体。
【請求項１０】
サーバーと通信可能な端末機器に適用される情報記憶媒体であって、
前記サーバーに記憶される複数のユーザデータのうち、各ユーザデータの更新履歴及び各ユーザデータに対するアクセス頻度を示す管理情報に基づき選出された所定のユーザデータを記憶する記憶エリアを備えたことを特徴とする情報記憶媒体。
【発明の詳細な説明】
【技術分野】
【０００１】
本発明は、携帯電話等の端末機器及びこの端末機器と通信可能なサーバーにより構成される通信システムに関する。また、本発明は、このような通信システムに適用される端末機器に関する。さらに、本発明は、このような端末機器に適用される情報記憶媒体に関する。
【背景技術】
【０００２】
近年目覚しく普及している携帯電話機は、メモリダイヤル機能を搭載しており、複数の電話番号を記憶することができる（特許文献１参照）。
【０００３】
また、ＧＳＭ規格の携帯電話機等の端末機器は、情報記憶媒体としてのＩＣチップ（ＳＩＭカード）と接続してこのＩＣチップに各種情報を蓄積することができる。例えば、このＩＣチップは、電話帳情報、電子メール情報、画像などのユーザデータを記憶する。現行の携帯電話機を新しい携帯電話機に変更しても、同じＩＣチップを継続して利用することにより、これまで蓄積されたユーザデータを引き続き利用することができる。
【特許文献１】特開２０００−３３２８８２
【発明の開示】
【発明が解決しようとする課題】
【０００４】
しかしながら、携帯電話機等の端末機器に適用されるＩＣチップ（ＳＩＭカード）は、非常に小さく記憶容量にも制限がある。このため携帯電話機を新しい携帯電話機へ変更する際に、新しい携帯電話機に引き継げる情報量は制限されてしまう。
【０００５】
また、ＩＣチップより記憶容量が大きい携帯電話機本体の内臓メモリにも、電話帳情報、電子メール、画像などのユーザデータを記憶することは可能であるが、携帯電話機を新しい携帯電話機へ変更する場合には、専用の機材を使用しなくては情報を引き継ぐことができなかった。
【０００６】
本発明の目的は、上記課題を解決するためになされたものであり、電話帳情報、電子メール、画像などのユーザデータを効率よく管理することが可能な通信システム及び端末機器を提供することにある。また、本発明は、ユーザデータを効率よく管理することが可能な端末機器に適用される情報記憶媒体を提供することにある。
【課題を解決するための手段】
【０００７】
この発明の通信システム、端末機器、及び情報記憶媒体は、以下のように構成されている。
【０００８】
（１）この発明は、相互に通信可能なサーバーと端末機器（携帯電話等）により構成される通信システムであって、前記端末機器は、ユーザデータを第１の記憶先へ記憶させる第１の記憶制御手段と、前記サーバーと接続し、前記第１の記憶先に記憶されるユーザデータを前記サーバーへ送信する第１の通信手段と、前記第１の記憶先に記憶された複数のユーザデータのうち、各ユーザデータの管理情報に基づき所定のユーザデータを削除する削除手段とを備え、前記サーバーは、前記端末機器と接続し、前記端末機器から送信されるユーザデータを受信する第２の通信手段と、前記第２の通信手段により受信されたユーザデータを第２の記憶先へ記憶させる第２の記憶制御手段とを備えたことを特徴とする端末機器である。
【０００９】
（２）この発明は、サーバーと通信可能な端末機器であって、ユーザデータを所定の記憶先へ記憶させる記憶制御手段と、前記サーバーと接続し、前記記憶先に記憶されるユーザデータを前記サーバーへ送信する通信手段と、前記記憶先に記憶された複数のユーザデータのうち、各ユーザデータの管理情報に基づき所定のユーザデータを削除する削除手段とを備えたことを特徴とする端末機器である。
【００１０】
（３）この発明は、サーバーと通信可能な端末機器に適用される情報記憶媒体であって、前記サーバーに記憶される複数のユーザデータのうち、各ユーザデータの管理情報に基づき選出された所定のユーザデータを記憶する記憶エリアを備えたことを特徴とする情報記憶媒体である。
【発明の効果】
【００１１】
本発明によれば、電話帳情報、電子メール、画像などのユーザデータを効率よく管理することが可能な通信システム及び端末機器を提供できる。また、本発明によれば、ユーザデータを効率よく管理することが可能な端末機器に適用される情報記憶媒体を提供できる。
【発明を実施するための最良の形態】
【００１２】
以下、図面を参照し、本発明の実施形態について説明する。
【００１３】
図１は、本発明の一実施形態に係る通信システムの概略構成を示す図である。図１に示すように、通信システムは、情報記憶媒体としてのＳＩＭカード１、端末機器としての携帯電話端末２、サーバー５により構成されている。
【００１４】
携帯電話端末２は、主制御部２０１、通信制御部２０２、操作部２０３、表示部２０４、コンタクト部２０５を備えている。主制御部２０１は、例えばコンタクト部２０５を介して接続されるＳＩＭカード１に対して所望のデータの記憶を制御したり、ＳＩＭカード１に対して記憶された所望のデータの削除を制御したりする。通信制御部２０２は、サーバー５との通信を制御し、携帯電話端末２とサーバー５との間で各種情報の交換を実現する。また、通信制御部２０２は、サーバー５を介して、インターネットに接続し、例えば画像などのデータをダウンロードする。操作部２０３は、ユーザによる入力操作を受け付ける。例えば、操作部２０３を介して受け付けられた入力操作に対応して、電話帳情報、電子メールなどのユーザデータが作成される。表示部２０４は、電話帳情報、電子メール、画像などのユーザデータを表示する。
【００１５】
帯電話端末２に挿入されたＳＩＭカード１、つまりコンタクト部２０５に接続されたＳＩＭカード２は、携帯電話端末２から提供されるユーザデータを記憶することができる。携帯電話端末２は、この携帯電話端末２に挿入されたＳＩＭカード１に対して、所定のユーザデータを書き込んだり、このＳＩＭカード１に書き込まれたデータを削除したりする。
【００１６】
携帯電話端末２は、通信制御部２０２の制御に基づき、携帯電話基地局３及び携帯電話網４を経由して、サーバー５にアクセスすることができる。さらに、携帯電話端末２は、通信制御部２０２の制御に基づき、サーバー５を介して携帯電話網外のインターネット６及び一般電話網７へ接続することができる。
【００１７】
サーバーは、主制御部５０１、通信制御部５０２、情報記憶部５０３を備えている。主制御部５０１は、例えば携帯電話端末２から送信されるデータの記憶を制御する。通信制御部５０２は、携帯電話端末２との通信を制御し、携帯電話端末２とサーバー５との間で各種情報の交換を実現する。情報記憶部５０３は、携帯電話端末２から送信されるデータを記憶する。
【００１８】
図２は、ＳＩＭカード１の概略構成の一例を示す図である。図２に示すように、ＳＩＭカード１は、制御部（例えばＣＰＵ）１０１、データメモリ１０２、ワーキングメモリ１０３、プログラムメモリ１０４、コンタクト部１０５を備えている。制御部１０１は、データメモリ１０２、ワーキングメモリ１０３、プログラムメモリ１０４からのデータの読み出しや、これらに対するデータの書き込みを制御する。データメモリ１０２は、記憶内容が消去可能な不揮発性のメモリである。例えば、データメモリ１０２は、各種データの記憶に使用され、ＥＥＰＲＯＭなどで構成されている。ワーキングメモリ１０３は、制御部１０１の制御により生じる処理データを一時的に保持するためのメモリであり、例えばＲＡＭなどで構成される。プログラムメモリ１０４は、制御部１０１のプログラムなどを記憶し、例えばマスクＲＯＭで構成される。コンタクト部１０５は、携帯電話端末に内蔵されたカードリーダ・ライタのコンタクト部２０５との電機的接触を得るための端子である。
【００１９】
例えば、制御部１０１、データメモリ１０２、ワーキングメモリ１０３、プログラムメモリ１０４は、１つのＩＣチップ１００により構成されている。なお、制御部１０１、データメモリ１０２、ワーキングメモリ１０３、プログラムメモリ１０４が、複数のＩＣチップにより構成されていてもよい。また、ＩＣチップ１００とコンタクト部１０５とが一体的にＩＣモジュール化されて、ＳＩＭカード１の本体内に埋設されている。
【００２０】
図３は、ＳＩＭカード１のデータメモリ１０２の一例を示す概念図である。図３に示すように、データメモリ１０２は、ＳＩＭカード１内部で固定的に使用されるシステムエリア１０２１、及びＳＩＭカード１のユーザが任意の目的に使用できるユーザエリア１０２２に分類することができる。ＳＩＭカード１のユーザは、このユーザエリア１０２２に電話帳情報や、電子メールデータ、インターネット上からダウンロードした画像等のユーザデータを書き込むことができる。
【００２１】
例えば、携帯電話端末２の主制御部５０１は、ユーザデータとこのユーザデータの更新履歴（更新日時）及びこのユーザデータに対するアクセス頻度（アクセス回数）を示す管理情報とをＳＩＭカード１へ記憶させる。また、携帯電話端末２の通信制御部５０２は、サーバー５と接続し、ＳＩＭカード１に記憶されるユーザデータ及び管理情報をサーバー５へ送信する。サーバー５の通信制御部２０２は、携帯電話端末２と接続し、この携帯電話端末２から送信されるユーザデータ及び管理情報を受信する。サーバー５の主制御部５は、通信制御部２０２により受信されたユーザデータ及び管理情報を記憶部５０３へ記憶させる。これにより、全てのユーザデータは、サーバー５側でバックアップされることになる。
【００２２】
さらに、携帯電話端末２の主制御部５０１は、ＳＩＭカード１に記憶された複数のユーザデータのうち、各ユーザデータの管理情報及びＳＩＭカード１の空き容量に基づき所定のユーザデータを削除する。これにより、ＳＩＭカード１には、例えば使用頻度が高いユーザデータが優先的に記憶され、それ以外の使用頻度が低いユーザデータは削除され、ＳＩＭカード１の容量不足の発生が防止される。
【００２３】
図４は、ユーザデータ及び管理情報の一例に該当する電話帳情報のデータ構造の一例を示す図である。図４に示すように、電話帳情報は、電話帳ＤＦ（ディレクトリファイル）０１、電話帳構造情報ＥＦ（エレメンタリファイル）０２、拡張データＥＦ０３、グルーピング情報ＥＦ０４、短縮番号ＥＦ０５、電話帳コントロールＥＦ０６、追加電話番号ＥＦ０７、メールアドレスＥＦ０８、名前ＥＦ０９、ＵＩＤＥＦ１０、グルーピングファイルＥＦ１１、アクセス回数ＥＦ１２、更新履歴（更新日時）ＥＦ１３により構成されている。電話帳ＤＦ０１は、複数のＥＦ（エレメンタリファイル）を配置することが可能なフォルダである。電話帳ＤＦ０１内は、複数のＥＦ（電話番号、名前等）に項目分けされている。
【００２４】
図５は、ＥＦのデータ構造の一例を示す図である。図５に示すように、各ＥＦは、ＥＦ−ＩＤ、レコード番号、Ｌｅｎｇｔｈ、実データ（ＵＩＤ）により構成されている。また、それぞれのＥＦは、レコード番号によって紐付けされている。
【００２５】
以下に、図８及び図９に示すフローチャートを参照して、図６及び図７に示すようなアクセス回数と更新日時情報を保持したＥＦを用いた電話帳参照方法の一例を説明する。
【００２６】
図８は、電話帳参照方法の一例を示すフローチャートである。図８に示すように、例えば、携帯電話端末２の操作部２０３を介して名前による電話帳情報の検索が指定され、これに対応して携帯電話端末２の主制御部５は名前による電話帳情報の検索を開始する（ＳＴ３０１）。携帯電話端末２の主制御部５による検索開始に対応して、ＳＩＭカード１は名前レコードリストが格納されている名前ＥＦ０９を検索する。ＳＩＭカード１内に該当名前レコードが存在した場合は（ＳＴ３０２、ＹＥＳ）、ＳＩＭカード１内のアクセス回数ＥＦ１２（管理情報）の名前レコードとレコード番号で紐付けされた該当レコードのデータをインクリメントし（ＳＴ３０３）、続いてアクセス回数の対象レコードのデータが更新されることにより、更新日時ＥＦ１３（管理情報）の対象レコードが更新される（ＳＴ３０４）。その後、該当電話帳情報が出力され（ＳＴ３０５）、例えば携帯電話端末２の表示部２０４に表示される。
【００２７】
ＳＩＭカード１内に該当名前レコードが存在しない場合は（ＳＴ３０２、ＮＯ）、携帯電話端末２、携帯基地局３、携帯電話網４を経由してサーバー５へアクセスし（ＳＴ３０６）、サーバー５の記憶部５０３内の個々のＳＩＭカード１用に用意されたデータベースを検索する（ＳＴ３０７）。サーバー５の記憶部５０３中に該当名前レコードが存在した場合は（ＳＴ３０７、ＹＥＳ）、サーバー５の記憶部５０３内の名前レコードとレコード番号で紐付けされたアクセス回数ＥＦ１２（管理情報）内の該当レコードのデータをインクリメントし（ＳＴ３０８）、続いてアクセス回数ＥＦ１２の対象レコードのデータが更新されることにより、更新日時ＥＦ１３（管理情報）の対象レコードが更新される（ＳＴ３０９）。さらに、サーバー５の電話帳情報とＳＩＭカード１の電話帳情報を同期させる（ＳＴ３１０）。
【００２８】
ここで、図９を参照して、サーバー５の電話帳情報とＳＩＭカード１の電話帳情報の同期処理を説明する。アクセス回数と更新日時が変更された後、サーバー５の記憶部５０３内の電話帳データベースとＳＩＭカード１内の電話帳は、お互いの更新日時を比較し（ＳＴ３１０１）、新しい方を採用しデータの更新を行なう。ＳＩＭカード１内の更新日時の方が新しい場合は（ＳＴ３１０２、ＹＥＳ）、ＳＩＭカード１内の電話帳情報でサーバー５内の電話帳情報を書き換える（ＳＴ３１０３）。データの更新後、サーバー５の記憶部５０３内のデータベース上のアクセス回数ＥＦ１２を検索し、レコードデータの値が大きい方から順に任意の数の電話帳情報を選出して送信し（ＳＴ３１０４）、またアクセス回数が同じ場合は、更新時間の新しい電話長情報を優先的に選出して送信し（ＳＴ３１０５）、ＳＩＭカード１の内部のアクセス回数ＥＦ１２と比較を行い、レコードデータの値が小さい方から順に削除する。これにより、サーバー５の電話帳情報とＳＩＭカードの電話帳情報を同期させる（ＳＴ３１０）。これにより、ＳＩＭカード１及びサーバー５により記憶されるデータが最新の状態で一致し、しかもアクセス回数の高いユーザデータだけがＳＩＭカード１内に保持される。その後、図８に示すように、該当電話帳情報が出力される（ＳＴ３１１）。
【００２９】
なお、図８に示すように、ＳＩＭカード１内に該当名前レコードが存在せず、かつサーバー５内の記憶部５０３のデータベースにも該当名前レコードが存在しなかった場合は（ＳＴ３０７、ＮＯ）、データ未登録のメッセージを出力する（ＳＴ３１２）。
【００３０】
本実施形態では名前ＥＦを検索する場合を例示したが、本発明は上記実施形態に限定されるものではなく要旨を変えない範囲で短縮電話番号ＥＦ３０５、ＵＩＤＥＦ２１０等の電話帳情報、画像データ、電子メールにて種々変形実施可能である。
【００３１】
本発明によれば、限られたＳＩＭカード１内のデータメモリを使用頻度の高いデータの為に有効利用できる。また、ユーザデータをＳＩＭカード１内部だけでなく、サーバー５上にも保存することになる為、万一ＳＩＭカード５や携帯電話が破損した場合でも、サーバー５から新たなＳＩＭカードにユーザデータを復元することができ、ユーザデータの喪失が最小限に抑えられる。
【００３２】
更に、ＳＩＭカード１内に目的のユーザデータが記憶されている場合には、サーバー５へのアクセスが発生せず、無駄な通信が行なわれない。ＳＩＭカード１内に目的のユーザデータが無かった場合に限りサーバー５へのアクセスが発生し、この通信時にユーザデータの更新が行なわれる為、常にＳＩＭカード１内の情報は最新状態を保ち、サーバー５内のデータベースもＳＩＭカード１からのアクセスタイミングで最新状態に更新される。
【００３３】
以下に、本実施形態の概要をまとめる。
【００３４】
（１）本実施形態の制御システムは、項目により分類されたデータの一部にアクセス頻度及び更新日時の管理情報を持たせ、項目により分類されたデータの一部にアクセス・変更を行なったときにアクセス頻度及び更新日時の管理情報を更新する。
【００３５】
（２）本実施形態の制御システムは、携帯電話端末側（ＳＩＭカード）で利用頻度の高い項目により分類されたデータのみを保持し、サーバー側で利用頻度の少ないその他の項目により分類されたデータを保持し、このような利用頻度の少ないその他の項目により分類されたデータの参照には、携帯電話網を経由してサーバーにアクセスする。
【００３６】
（３）本実施形態の制御システムは、サーバーへの接続時に、サーバー内に保持されている項目により分類されたデータと携帯電話端末側（ＳＩＭカード）に保持されている項目により分類されたデータの同期を行い、サーバーと携帯電話端末の両方のデータを最新状態に更新する。
【００３７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３８】
【図１】本発明の一実施形態に係る通信システムの概略構成を示す図である。
【図２】ＳＩＭカードの概略構成の一例を示す図である。
【図３】ＳＩＭカードのデータメモリの一例を示す概念図である。
【図４】ユーザデータ及び管理情報の一例に該当する電話帳情報のデータ構造の一例を示す図である。
【図５】ＥＦのデータ構造の一例を示す図である。
【図６】アクセス回数を保持したＥＦのデータ構造の一例を示す図である。
【図７】更新日時を保持したＥＦのデータ構造の一例を示す図である。
【図８】電話帳参照方法の一例を示すフローチャートである。
【図９】サーバーの電話帳情報とＳＩＭカードの電話帳情報の同期処理を説明するフローチャートである。
【符号の説明】
【００３９】
１…ＳＩＭカード、２…携帯電話端末、３…携帯電話基地局、４…携帯電話網、５…サーバー、６…インターネット、７…一般電話網、２０１…主制御部、２０２…通信制御部、２０３…操作部、２０４…表示部、２０５…コンタクト部、５０１…主制御部、５０２…通信制御部、５０３…情報記憶部
【図１】
2006101216.tif 000003
【図２】
2006101216.tif 000004
【図３】
2006101216.tif 000005
【図４】
2006101216.tif 000006
【図５】
2006101216.tif 000007
【図６】
2006101216.tif 000008
【図７】
2006101216.tif 000009
【図８】
2006101216.tif 000010
【図９】
2006101216.tif 000011